(57)【特許請求の範囲】
【請求項１】
育毛剤を頭皮から導入する育毛剤導入装置であって、
電気パルスを発生可能なパルス印加部と、前記パルス印加部と電気的に接続され、当該パルス印加部が発生する電気パルスを使用者の頭皮に印加するための電極とを備え、
前記電極が印加する前記電気パルスが、加電部と休止部を有するバーストであり、
前記バーストの前記加電部の波形が、電圧の大きさが上に凸となる曲線を描くように上昇する立ち上がり部と、電圧の大きさが下に凸となる曲線を描くように下降する立ち下がり部と、前記立ち上がり部と前記立ち下がり部との間に継続的に形成され、電圧が一定となる安定部と、を有し、
電気穿孔法を用いて育毛剤を頭皮から導入することを特徴とする育毛剤導入装置。
【請求項２】
前記電極が棒状であり、ブラシ形状の電極本体の先端部に複数本櫛歯状に形成されていることを特徴とする請求項１に記載の育毛剤導入装置。
【請求項３】
前記電極本体の先端部に複数本櫛歯状に形成されている電極の長さが、平面視で内側に行くに従い短くなっていることを特徴とする請求項２に記載の育毛剤導入装置。
【発明の詳細な説明】
【技術分野】
【０００１】
本発明は、育毛剤導入装置に関する。さらに詳しくは、電気穿孔法（エレクトロポレーション法）を用いて頭皮から育毛剤を導入し、頭皮の育毛を促進する育毛剤導入装置に関する。
【背景技術】
【０００２】
頭部における育毛を促進するための処置として、各種の育毛剤が提案されている。育毛剤は、栄養補給剤、血管拡張剤、ホルモン剤等により毛根を活性化するもので、これらの有効成分が溶剤で調整されて薬液として使用されている。従来、かかる育毛剤ないし薬液（以下、総称して「育毛剤」とする。）を頭皮に適用する場合にあっては、洗髪がなされ毛穴までよく洗浄した頭皮に、使用者が自ら育毛剤を塗布した後、指先で頭皮を揉んだり、あるいは頭皮を軽く叩く等して、育毛剤が毛穴に浸透するようにしている。
【０００３】
一方、育毛剤の塗布等における使用者への負担を軽減して、頭皮に育毛剤を効率よく塗布するための手段として、育毛剤を頭皮に塗布する装置が提供されている。かかる装置としては、例えば、頭皮に育毛剤を噴射する手段を備えた育毛剤塗布装置が提供されている（例えば、特許文献１または特許文献２を参照。）。
【０００４】
【特許文献１】特開平１１−１９２２１号公報（［請求項２］、［図１］）
【特許文献２】特開２００１−２３８７２２号公報（［請求項１］）
【発明の開示】
【発明が解決しようとする課題】
【０００５】
前記したように、一般に、育毛剤を頭皮に浸透させるためには、指先で頭皮を揉む等の操作が行われるが、育毛剤の頭皮への導入効果は必ずしも満足のいくものではなかった。特に、例えばケラチノサイト増殖因子（ＦＧＦ−７）等の育毛剤は頭皮に良好に浸透しないという問題があった。
【０００６】
本発明は、前記の課題に鑑みてなされたものであり、育毛剤の頭皮への導入効果に優れ、育毛剤の種類を問わず、育毛剤を頭皮から毛穴の奥まで十分に浸透させることができる育毛剤導入装置を提供することにある。
【課題を解決するための手段】
【０００７】
前記の課題を解決するために、本発明の請求項１に係る育毛剤導入装置は、育毛剤を頭皮から導入する育毛剤導入装置であって、電気パルスを発生可能なパルス印加部と、前記パルス印加部と電気的に接続され、当該パルス印加部が発生する電気パルスを使用者の頭皮に印加するための電極とを備え、前記電極が印加する前記電気パルスが、加電部と休止部を有するバーストであり、前記バーストの前記加電部の波形が、電圧の大きさが上に凸となる曲線を描くように上昇する立ち上がり部と、電圧の大きさが下に凸となる曲線を描くように下降する立ち下がり部と、前記立ち上がり部と前記立ち下がり部との間に継続的に形成され、電圧が一定となる安定部と、を有し、電気穿孔法を用いて育毛剤を頭皮から導入することを特徴とする。
【０００８】
本発明の請求項２に係る育毛剤導入装置は、前記した請求項１において、前記電極が棒状であり、ブラシ形状の電極本体の先端部に複数本櫛歯状に形成されていることを特徴とする。
【０００９】
本発明の請求項３に係る育毛剤導入装置は、前記した請求項２において、前記電極本体の先端部に複数本櫛歯状に形成されている電極の長さが、平面視で内側に行くに従い短くなっていることを特徴とする。
【発明の効果】
【００１４】
本発明の請求項１に係る育毛剤導入装置は、電気パルスを発生可能なパルス印加部と、前記パルス印加部と電気的に接続され、当該パルス印加部が発生する電気パルスを使用者の頭皮に印加するための電極とを備え、電気穿孔法を用いて育毛剤を頭皮から導入するようにしている。よって、育毛剤の導入経路の形成及び当該経路の維持、及び導入した育毛剤の電気泳動が効率よく実施されることとなり、育毛剤が頭皮から効率よく導入されることになる。本発明は、電気穿孔法を用いることにより、育毛剤の種類を問わず、育毛剤を頭皮から毛穴の奥まで十分に浸透させることができ、毛根に育毛剤を効率よく供給し、育毛剤の効能を最大限に発揮させることが可能となり、毛根の活性化を促進する育毛剤導入装置となる。
【００１５】
本発明の請求項１に係る育毛剤導入装置は、電極から印加される電気パルスを、加電部と休止部を有するバーストとしているので、電気パルスが安定して電極から発生し頭皮に印加され、頭皮からの育毛剤の導入がより効率的に実施される育毛剤導入装置となる。
【００１６】
本発明の請求項１に係る育毛剤導入装置は、電気パルスのバーストの加電部の波形について、電圧の立ち上がり及び立ち下がりを曲線状としたので、電気パルスが頭皮に対して緩やかにはたらき、頭皮への刺激を抑制することができ、加えて、電圧の立ち上がり及び立ち下がりを曲線状としたので、電圧の印加が継続的に行われることになり、育毛剤が頭皮から安全かつ確実に導入することができる育毛剤導入装置となる。
【００１７】
本発明の請求項２に係る育毛剤導入装置は、装置を構成する棒状の電極がブラシ形状の電極本体の先端部に複数本櫛歯状に形成されているので、使用者が髪を梳かす感覚で電極を頭皮に接触させて育毛剤を導入することができ、装置の操作性がよく、育毛剤の頭皮からの導入を簡便に実施することができる育毛剤導入装置となる。
【００１８】
本発明の請求項３に係る育毛剤導入装置は、電極本体の先端部に複数本櫛歯状に形成されている電極の長さが、平面視で内側に行くに従い短くなるようにしているので、電極が頭皮に対して密着しやすくなり、頭皮に対する電気パルスの印加がスムースに行われることになるため、頭皮に対する育毛剤の導入を効率よく実施することができる育毛剤導入装置となる。
【発明を実施するための最良の形態】
【００２１】
［第１実施形態］
以下、本発明の第１実施形態について図面を用いて説明する。
【００２２】
（１）育毛剤導入装置１の構成：
図１は本実施形態（第１実施形態）に係る育毛剤導入装置１を上方前面側から見た斜視図を示す。本実施形態に係る育毛剤導入装置１は、電気穿孔法を用いて育毛剤（養毛剤、発毛剤、及びそれらを含有する薬液も含む。）を頭皮から導入するものであり、具体的には、図１に示すように、装置本体２と、装置本体２に内蔵され、電気パルスを発生可能な図示しないパルス印加部３（後記）と、パルス印加部３と電気的に接続されて、当該パルス印加部３が発生する電気パルスが印加される電極４１を基本構成として備えている。なお、図１には、電極４１を先端部４０に備えたブラシ状の電極本体４を載置、固定する置き台２３を載せている。
【００２３】
本実施形態に係る育毛剤導入装置１を構成する装置本体２は、前面にパネル状の操作部２２を配設した平面略矩形状の筐体である外装ケース２１と、内部に図示しないパルス印加部３を配設する。操作部２２は、装置本体２の内部に配設されるパルス印加部３と電気的に接続され、本実施形態にあっては、例えば、パルス発生の時間、パルスの電圧レベル、パルス発生のオン／オフ（ＯＮ／ＯＦＦ）、電圧レベル、ブラシ状の電極本体４に内蔵される電気モータ４２（後記）による振動レベル、パルス発生の開始／停止等を調整することを可能とする。
【００２４】
装置本体２の操作部２２の下方には、電極用のジャック２６が配設されている。電極用のジャック２６は、電極本体４から延びる接続コード４３の先端に設けられた電極プラグ４３１を挿入することにより、装置本体２に内蔵される図示しないパルス印加部３と電気的に接続されることになる。なお、装置本体２の背面には、主電源のオン／オフ（ＯＮ／ＯＦＦ）を行う図示しない主電源スイッチが配設される。また、本実施形態の育毛剤導入装置１は、装置本体２から延びる図示しない電源コードの一端に設けられた電源プラグを図示しないコンセントに挿入することにより、電源が供給されることになる。
【００２５】
（２）電極本体４の構成：
図２は、育毛剤導入装置１を構成する電極本体４の側面図、図３は図２の断面図、をそれぞれ示す。図２及び図３に示すように、本実施形態の電極本体４はその形状をブラシ状に形成されており、電極４１が櫛歯状に配設される先端部４０と、使用時に使用者に握られる部分となる胴部４４とから構成される。
【００２６】
電極４１が配設される先端部４０は、電極本体４の胴部４４とゴム製の周形状のクッション部４５を介して連接・一体化されている。また、先端部４０は胴部４４に対して可動できるようになっているので、電極４１が配設された先端部４０が頭部の形状に合わせて上下左右に動くことが可能となり、頭皮に対する電気パルスの印加がスムースに行われることになる。
【００２７】
また、図４Ａは電極本体４の先端部４０を示した斜視図、図４Ｂは電極４１の配置を示す電極本体４の先端部４０を示した平面図、図５は電極４１周辺の部分拡大図、をそれぞれ示す（なお、図２、図３及び図４Ａでは、電極４１等の数が多いので、全ての電極４１等に符号４１、４１１及び４６２を付していない。）。ブラシ状の電極本体４の櫛歯に相当する電極４１は、図４Ａ等に示すように、櫛歯形状の絶縁部４６２の先端から電極４１の電極先端部４１１が露出するようにして、９本の電極４１が電極本体４の先端部４０に立設されている。図５に示すように、電極４１は電極先端部４１１と電極胴部４１２からなる、断面視で略Ｔ字型の棒状の部材であり、また、電極本体４の先端部４０を構成する合成樹脂からなる櫛歯部４６は、台座４６１と、当該台座４６１に立設され、電極胴部４１２を挿入する筒状の絶縁部４６２からなる部材である。本実施形態にあっては、電極本体４の先端部４０において、電極４１の電極胴部４１２を櫛歯形状に形成された櫛歯部４６の絶縁部４６２に挿入するようにする一方、電極先端部４１１を絶縁部４６２により露出させるようにして、頭皮に接触可能とされている。このように電極４１について電極先端部４１１のみを露出させ、電極胴部４１２を絶縁部４６２により絶縁状態とすることにより、隣接する電極４１の干渉を防止することができる。
【００２８】
電極４１は、そのうちのいずれかをホット電極（素子）及びグランド電極（導子）として構成されており、例えば、図４Ｂにおいて内部に斜線を付けた電極４１をホット電極、それ以外の電極４１をグランド電極としてもよい。かかるホット電極とグランド電極が、あらかじめ育毛剤が塗布された頭皮に接触することにより、頭皮に電気パルスが印加されて電気穿孔が実施されることになる。また、ホット電極から延びる図示しない導線、及びグランド電極から延びる図示しない導線は、後記するパルス印加部３と電気的に接続されている。
【００２９】
図４Ｂに示す本実施形態の電極４１は、平面視で中央に配設される１本の電極４１（図４Ｂで二重丸で示した電極４１）と、その周囲に配設される８本の電極４１（図４Ｂで二重丸で示した電極４１以外の電極）からなるが、平面視で内側（中央）に配設される電極４１の長さが、その周囲に配設される電極４１の長さよりも短くなるように形成されている。このように、電極４１の長さが内側（中央）に行くに従い長さが短くなることにより、電極４１（電極先端部４１１）が頭皮に対して密着しやすくなるため、頭皮に対する電気パルスの印加がスムースに行われることになる。かかる電極４１の長さの差は、例えば、０．５〜１．５ｍｍ程度とすることが好ましく、０．５〜１．０ｍｍ程度とすることが特に好ましい。
【００３０】
電極４１の間隔は、電極本体４のサイズ、負荷すべき電場の強さ、電圧の高さ、及び使用者への負担などを考慮して決定すればよい。かかる間隔は、広すぎると電極４１として機能することができない場合がある一方、狭すぎると電極４１同士が干渉する場合があるので、概ね７〜１５ｍｍ程度とすることが好ましい。また、電極４１の外径は、例えば３〜１０ｍｍ程度、電極４１の外部に表れる長さは、例えば３〜１０ｍｍ程度とすることが好ましい。
【００３１】
電極４１を構成する材料としては、従来公知の金属、カーボン、セラミックス等の無機材料を使用することができるが、電極４１を構成する材料としてイオン化を起こしやすい無機材料（例えば、銀等）を使用すると、接触する頭皮にｐＨの変化をきたし、副作用を引き起こす場合があるため、電極４１を構成する材料としては、イオン化を起こしにくい材料を使用することが好ましい。具体的には、ステンレス、白金（プラチナ）等を使用することが好ましく、ステンレスを使用することが特に好ましい。
【００３２】
なお、本実施形態の育毛剤導入装置１を構成する電極本体４は、前記した図３に示すように電気モータ４２を内蔵している。電気モータ４２の回転軸４２１は偏心素子４２２と連接されることで偏心運動が実施できるようになっている。そして、電気モータ４２の偏心運動が電極本体４の先端部４０に伝わり、当該先端部４０における電極４１の周辺が振動する構成となっている。物理的な振動は、頭皮に対してマッサージ効果ないしリラクリゼーション効果を付与し、電極４１から電気パルスを発生させる電気穿孔と電気モータ４２による物理的な振動を併用することにより、頭皮からの育毛剤の吸収効果をさらに増大させることができる。電気モータ４２の周波数（振動数）は、例えば、１００〜２００Ｈｚ程度とすることが好ましい。
【００３３】
（３）パルス印加部３の構成：
図６はパルス印加部３の回路の一例を示した概略図、図７は、育毛剤導入装置１を構成するパルス印加部３のシステムに係るブロック図、をそれぞれ示す。なお、図６については、電気モータ４２に関する部分の回路は省略するとともに、主要な部分または部材にのみ符号を付して説明する。
【００３４】
図６及び図７に示すように、本実施形態のパルス印加部３を構成する変圧部３１は、矩形パルスを入力する第１の一次巻線３１１ａ及び第２の一次巻線３１１ｂと、電気パルスを発生する二次巻線３１１ｃ、からなるトランス３１１を有する。第１の一次巻線３１１ａ及び第２の一次巻線３１１ｂは、ともに接続されるトランジスタ３１３（第１トランジスタ３１３ａ及び第２トランジスタ３１３ｂ）によって駆動され、本実施形態にあっては、第１の一次巻線３１１ａと第２の一次巻線３１１ｂに流れる電流は、図６に示すように逆方向（第１の一次巻線３１１ａは実線矢印の方向、第２の一次巻線３１１ｂは点線矢印の方向。）となり、出力の極性も逆となる。また、二次巻線３１１ｃは、抵抗３１４、コンデンサ３１５、ダイオード３１６を介して電極４１に電気パルスを印加する。なお、電源３２から供給される電圧は、増幅部３３に配設されるオペアンプ３３１により増幅される。
【００３５】
図８は、第１の一次巻線３１１ａに入力される矩形波パルス列の一例を示した概略図である。また、図９は、第２の一次巻線３１１ｂに入力される矩形波パルス列の一例を示した概略図である。図８及び図９に示すように、本実施形態のパルス印加部３にあっては、第１の一次巻線３１１ａに入力される矩形波パルス列と、第２の一次巻線３１１ｂに入力される矩形波パルス列は、位相が若干異なるようにしている。また、前記したように、第１の一次巻線３１１ａは第１トランジスタ３１３ａ、第２の一次巻線３１１ｂは第２トランジスタ３１３ｂによって駆動されるが、当該トランジスタ３１３（３１３ａ，３１３ｂ）はオン／オフで切り換えられるため、第１の一次巻線３１１ａ及び第２の一次巻線３１１ｂに入力された矩形波パルス列に対応して、二次巻線３１１ｃから発生される電気パルスは、図１０に示すように、正、負が連続する矩形波となり、また、二次巻線３１１ｃから発生され、電極４１から頭皮に印加される電気パルスは、図１１及び図１２に示すように、抵抗３４１とコンデンサ３４２に当該矩形波を入力して形成されたバースト（バースト波）として頭皮に対して印加されることになる。
【００３６】
図１０は、トランス３１１（二次巻線３１１ｃ）から発生される個々の電気パルスの一例を示した概略図である。また、図１１は、二次巻線３１１ｃから発生され、電極４１に印加される電気パルスのバーストの一例を示した概略図であり、図１２は、図１１の部分拡大図をそれぞれ示す。前記したように、本実施形態にあっては、トランス３１１（二次巻線３１１ｃ）から発生される電気パルスは、正、負が連続する矩形波となる。
【００３７】
電極４１から印加される電気パルスとなる電気パルスのバーストは、図１１及び図１２に示すように、図１０に示す個々の電気パルスが、例えば２０〜４０周期分集まった集合体からなる加電部ＰＯＮ（オン部）と、休止部ＰＯＦＦ（オフ部）を有する。また、かかるバーストの加電部ＰＯＮの波形は、電圧が曲線状に上昇する立ち上がり部ＰＵと、電圧が曲線状に下降する立ち下がり部ＰＤを有している。電圧の立ち上がり及び立ち下がりを曲線状にすることにより、電気パルスが頭皮に対して緩やかにはたらき、頭皮への刺激を抑制することができる。また、電圧の立ち上がり及び立ち下がりを曲線状にすることで、電圧の印加が継続的に行われることになり、育毛剤の導入経路の形成及び当該経路の維持、及び導入した育毛剤の電気泳動が効率よく実施され、育毛剤の導入効果も良好となる。なお、図１１及び図１２にあっては、立ち上がり部ＰＵは、砲台状の曲線を描くようにして曲線状に上昇し、立ち下がり部ＰＤは、立ち上がり部ＰＵを１８０°回転した、いわゆる指数関数的減数曲線を描いて曲線状に下降する態様を示している。
【００３８】
また、図１１及び図１２に示すように、本実施形態におけるバーストの加電部ＰＯＮの波形は、立ち上がり部ＰＵと立ち下がり部ＰＤとの間に、電圧が一定となる安定部ＰＳを有する態様を示している。電圧が曲線状で上昇する立ち上がり部ＰＵと電圧が曲線状で下降する立ち下がり部ＰＤの間に、電圧が一定となる安定部ＰＳを設けることにより、電圧の印加がより継続的に行われることになり、育毛剤の導入が効率的に実施されることになる。
【００３９】
図１０ないし図１２に示した電気パルス個々の１周期ＴＳは、０．１〜１．０ｍｓ（周波数として１〜１０ｋＨｚ）程度とすることが好ましい。また、バーストの１周期ＴＢは、１０〜５０ｍｓ（周波数として０．０２〜０．１ｋＨｚ）程度とすることが好ましい。
【００４０】
図１１及び図１２における電気パルスのバーストにあっては、バーストにおける加電時間ＴＯＮを９〜３９ｍｓとすることが好ましく、休止時間ＴＯＦＦを１〜１１ｍｓとすることが好ましい。また、加電部ＰＯＮに安定部ＰＳを設ける場合にあっては、電圧が曲線状に上昇する立ち上がり部ＰＵを３〜１３ｍｓ、安定部ＰＳを３〜１３ｍｓ、電圧が曲線状に下降する立ち下がり部ＰＤを３〜１３ｍｓ程度とすればよい。なお、図１１及び図１２は、電気パルス個々の１周期ＴＳを０．５ｍｓ（２ｋＨｚ）、バーストの１周期ＴＢを２０ｍｓ（０．０５ｋＨｚ（５０Ｈｚ））、加電時間ＴＯＮを１５ｍｓ、休止時間ＴＯＦＦを５ｍｓ、加電部ＰＯＮのうち、立ち上がり部ＰＵ、安定部ＰＳ及び立ち下がり部ＰＤをそれぞれ５ｍｓとした態様を示している。
【００４１】
電気パルスのバーストの形状は、図６及び図７に示す波形形成部３４に配設される抵抗３４１及びコンデンサ３４２により決定される。抵抗３４１の抵抗値Ｒは、例えば、Ｒ＝１０ｋ〜１ＭΩとすることが好ましく、また、コンデンサ３４２の容量値Ｃは、例えば、Ｃ＝１〜１００ｎＦとすることが好ましい。そして、抵抗３４１の抵抗値Ｒ及びコンデンサ３４２の容量Ｃの積（Ｒ・Ｃ）との関係として、Ｒ・Ｃ＝０.０００５〜０.００２程度とすればよい。
【００４２】
なお、図１１及び図１２は、抵抗３４１の抵抗値Ｒが１００ｋΩ、コンデンサ３４２の容量Ｃが１０ｎＦの場合におけるバーストの形状を示しており、前記の場合よりコンデンサ３４２の容量値が大きければ、バーストの立ち上がり部ＰＵ及び立ち下がり部ＰＤは図１１等より緩やかになり、コンデンサ３４２の容量値が小さければ、バーストの立ち上がり部ＰＵ及び立ち下がり部ＰＤは図１１等より鋭くなる。同様に、前記の場合より抵抗３４１の抵抗値が大きければ、バーストの立ち上がり部ＰＵ及び立ち下がり部ＰＤは図１１等より緩やかになり、抵抗３４１の抵抗値が小さければ、バーストの立ち上がり部ＰＵ及び立ち下がり部ＰＤは図１１等より鋭くなる。
【００４３】
また、電極４１から頭皮に対して印加される、電気穿孔法を適用するための電気パルスの電圧（パルス電圧）は、使用者への刺激や負担を考慮して決定すればよく、０．１〜５０Ｖの範囲であればよく、５〜３５Ｖであることが好ましい。パルス電圧がかかる範囲であれば、頭皮に対する刺激や負担も少なく、電気穿孔法を用いた頭皮への育毛剤の導入がより安全に実施される。
【００４４】
なお、電気パルスの電圧は、電源３２から供給される電圧に対して増幅部３３で増幅されることになるが、電圧が高すぎる状態の電気パルスとして頭皮に印加されることとなり、頭皮に対する刺激が高くなるため、電圧を調整した状態で、頭皮に印加することが好ましい。本実施形態の育毛剤導入装置１にあっては、電圧は制御部３５で、前記した０．１〜５０Ｖ（好ましくは５〜３５Ｖ）程度に調整される。かかる制御部３５は、図示しないマイクロコンピュータ等の制御手段を備え、増幅部３３で増幅された電圧について、あらかじめ入力されたプログラム等に従い、電圧の大きさを調整する。また、制御部３５は、前記した操作部２２とも電気的に接続され、使用者が操作部２２から入力した情報を、電気的に接続された各部へ伝達する。
【００４５】
（４）育毛剤導入装置１を使用した電気穿孔法による育毛剤導入方法：
図１３は、本実施形態の育毛剤導入装置１を用いた場合における頭皮６への育毛剤７の導入メカニズムを示した説明図である。図１３に示すように、頭皮６に育毛剤７を塗布した状態で、電極本体４の先端部４０に配設される電極４１を頭皮６に接触させて、当該頭皮６に前記した図１１及び図１２に示した電気パルスを印加することで、育毛剤７の透過経路（細胞隙間）６１を真皮６２に対して形成することができ、毛根６３に対して育毛剤７を供給できる。そのため、電気穿孔法を用いた本実施形態の育毛剤導入装置１を用いることにより、通常では頭皮６に対して導入することが難しい親水性の分子や、例えば、分子量が３０００００ないしはそれ以上の高分子等を真皮６２（真皮細胞）まで効率よく導入することが可能となる。
【００４６】
本発明の育毛剤導入装置１で使用できる育毛剤７としては、特に制限はないが、従来公知の育毛剤、例えば、ケラチノサイト増殖因子（ＦＧＦ−７）等の従来公知の育毛剤を使用することができる。本発明の育毛剤導入装置１を使用した育毛剤導入方法によれば、ケラチノサイト増殖因子（ＦＧＦ−７）等といった、従来の方法では頭皮６からの導入が困難であった種類の育毛剤についても問題なく導入することができ、かかる育毛剤７を頭皮６から毛穴の奥まで十分に浸透させることにより、毛根６３に育毛剤７を供給することができる。
【００４７】
本実施形態に係る育毛剤導入装置１を用いて実施される育毛剤７の導入方法（育毛剤導入方法）の一例を説明する。まず、電極プラグ４３１を電極用のジャック２６に挿入し、主電源スイッチ（図示しない）を入れ、パルス発生モードをオンとした後、パルス発生の時間、電極本体４に内蔵される電気モータ４２による振動レベル等の設定調整を行う。
【００４８】
次に、例えばケラチノサイト増殖因子（ＦＧＦ−７）等の所望の育毛剤７を、好ましくは洗髪がなされ毛穴までよく洗浄した頭皮６（図１３参照）に塗布した後、ブラシ状の電極本体４を持ち、先端部４０に配設される電極４１を頭皮６に当てて電気パルスの印加を開始する。電極４１が頭皮６に接触すると、電極４１から頭皮６に対して、図１０に示す個々の波形、並びに図１１及び図１２に示すバーストからなる電気パルスが印加され、頭皮６に育毛剤７の透過経路６１が形成されることになり、頭皮６から育毛剤７が電気穿孔法により効率よく導入されていくことになる。なお、頭皮６に対して電気パルスを印加する時間は、適用される頭皮６の状態、適用する育毛剤７の種類や量等に応じて適宜決定することができるが、１回当たり概ね５〜１０分程度としておけばよい。
【００４９】
（５）本実施形態の効果：
以上説明した第１実施形態に係る育毛剤導入装置１は、電気穿孔法を用いて育毛剤を頭皮から導入する育毛剤導入手段として、育毛剤が頭皮から効率よく導入され、育毛剤の導入経路の形成及び当該経路の維持、及び導入した育毛剤の電気泳動が効率よく実施される。よって、育毛剤の種類を問わず、育毛剤を頭皮から毛穴の奥まで十分に浸透させることができ、毛根に対して育毛剤を効率よく供給し、育毛剤の効能を最大限に発揮させて毛根の活性化を促進することができる育毛促進手段として、美容分野（理容分野含む。）、医療分野等で広く使用することができる。
【００５０】
加えて、本実施形態の育毛剤導入装置１は、装置１を構成する棒状の電極４１がブラシ形状の電極本体４の先端部４０に複数本櫛歯状に形成されているので、使用者が髪を梳かす感覚で電極４１を頭皮に接触させて育毛剤を導入することができるので、装置１の操作性がよく、育毛剤の頭皮からの導入を簡便に実施することができる育毛剤導入装置１となる。
【００５１】
［第２実施形態］
以下、本発明の第２実施形態について図面を用いて説明する。
前記した第１実施形態の育毛剤導入装置１にあっては、図２等に示すように、電極本体４の先端部４０に配設される電極４１が９本からなる態様を示したが、電極４１の数はこれには限定されず、例えば、図１４、図１５Ａ及び図１５Ｂに示すような構成を採用してもよい。
なお、以下の説明では、既に前記した実施形態において説明した部分又は部材と同様な
部材等については、同一符号を付して、その説明を省略する
【００５２】
（６）電極４１の構成：
図１４は、本実施形態に係る育毛剤導入装置１を構成する電極４１の他の態様を示した側面図であり、図１５Ａは、本実施形態に係る育毛剤導入装置１を構成する電極本体４の先端部４０を示した斜視図、図１５Ｂは電極４１の配置を示す電極本体４の先端部４０を示した平面図、をそれぞれ示す（なお、図１４、図１５Ａ及び図１５Ｂでは、電極４１等の数が多いので、全ての電極４１等に符号４１、４１１及び４６２を付していない。）。本実施形態に係る育毛剤導入装置１を構成する電極４１は、平面視で中央に配設される４本の電極４１と、その周囲に配設される８本の電極４１と、その周囲に配設される１６本の電極４１の計２８本の電極からなり、図２等に示した第１実施形態の育毛剤導入装置１を構成する電極４１と比較して、電極４１の数が多いので、頭皮６と接触する部分も多くなる。よって、育毛剤を導入できる有効面積が広くなるので、導入効率を向上させることができる。なお、図１４等は、電極本体４の胴部４４と先端部４０を構成する櫛歯部４６が隣接して一体化されている態様を示しているが、第１実施形態と同様、胴部４４と櫛歯部４６の間にクッション部４５を介在させるようにしてもよい。
【００５３】
また、本実施形態においても、電極４１は、そのうちのいずれかをホット電極（素子）及びグランド電極（導子）として構成され、例えば、図１５Ｂにおいて内部に斜線を付けた電極４１をホット電極、それ以外の電極４１をグランド電極としてもよい。かかるホット電極とグランド電極が、あらかじめ育毛剤が塗布された頭皮に接触することにより、頭皮に電気パルスが印加されて電気穿孔が実施されることになる。
【００５４】
本実施形態に係る育毛剤導入装置１を構成する電極は、前記したように、平面視で中央に配設される４本の電極４１（図１５Ｂで二重丸で示した電極４１）と、その周囲に配設される８本の電極４１（図１５Ｂで内部に斜線を付けた電極４１）と、その周囲に配設される１６本の電極４１（図１５Ｂで二重丸で示した電極４１及び内部に斜線を付けた電極４１以外の電極４１）とからなるが、電極４１の長さは、１６本の電極４１が一番長く、以下、長さは８本の電極４１、４本の電極４１の順となり、平面視で中央（内側）に配設される４本の電極４１が一番短い。このように、中央（内側）に行くに従い電極４１の長さが短くなるので、電極４１（電極先端部４１１）が頭皮に対して密着しやすくなり、かつ、第１実施形態と比較して電極４１の数が多いため、頭皮に対する電気パルスの印加がよりスムースに行われることになる。
【００５５】
（７）本実施形態の効果：
以上説明した第２実施形態に係る育毛剤導入装置１は、前記した第１実施形態の奏する効果を享受するとともに、第１実施形態に係る育毛剤導入装置１と比較して、電極４１の数が多いので、頭皮６と接触する部分が多く、育毛剤を導入できる有効面積が広くなり、導入効率をさらに向上させることができる。
【００５６】
（８）実施形態の変形：
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００５８】
前記した実施形態では、育毛剤導入装置１を構成する電極本体４の先端部４０に配設される電極４１が９本（第１実施形態）または２８本（第２実施形態）からなる態様を示したが、電極４１の数はこれらには限定されず、電極本体４や電極４１のサイズ等に応じて、例えば、２本以上として、３〜２００本の範囲内で適宜選択することが好ましく、７〜４０本の範囲内で適宜選択することが特に好ましい。また、電極４１が配設される電極本体４の先端部４０の形状も、前記した実施形態は図４Ａ及び図４Ｂや図１５Ａ及び図１５Ｂ等に示すように、平面視で円形状の態様を示したが、これには限定されず、矩形状、正方形状、多角形状等任意の形状とすることができる。
【００５９】
前記した実施形態では、トランス３１１（二次巻線３１１ｃ）から発生される個々の電気パルスの波形の一例として、図１０に示す矩形波を例に挙げたが、トランス３１１から発生される電気パルスの波形はこれには限定されず、例えば、立ち上がりが正、立ち下がりが負となる指数曲線型の電気パルスを採用してもよい。
その他、本発明の実施における具体的な構造及び形状等は、本発明の目的を達成できる範囲で他の構造等としてもよい。
【産業上の利用可能性】
【００６０】
本発明は、美容分野（理容分野含む。）、医療分野等で頭皮から育毛剤を導入して、育毛、発毛を促進するために適用される育毛促進手段として有利に使用することができる。
【図面の簡単な説明】
【００６１】
【図１】本発明の第１実施形態に係る育毛剤導入装置を示した斜視図である。
【図２】第１実施形態に係る育毛剤導入装置を構成する電極本体を示した側面図である。
【図３】図２の断面図である。
【図４Ａ】第１実施形態に係る育毛剤導入装置を構成する電極本体の先端部を示した斜視図である。
【図４Ｂ】第１実施形態に係る育毛剤導入装置を構成する電極本体の先端部を示した平面図である。
【図５】電極周辺の部分拡大図である。
【図６】育毛剤導入装置に係るパルス印加部の回路の一例を示した概略図である。
【図７】育毛剤導入装置に係るパルス印加部のブロック図である。
【図８】第１の一次巻線に入力される矩形波パルス列の一例を示した概略図である。
【図９】第２の一次巻線に入力される矩形波パルス列の一例を示した概略図である。
【図１０】トランス（二次巻線）から発生される電気パルスの一例を示した概略図である。
【図１１】電気パルスのバーストの一例を示した概略図である。
【図１２】図１１の部分拡大図である。
【図１３】本実施形態の育毛剤導入装置を用いた場合における頭皮への育毛剤の導入メカニズムを示した説明図である。
【図１４】本発明の第２実施形態に係る育毛剤導入装置を構成する電極本体を示した側面図である。
【図１５Ａ】第２実施形態に係る育毛剤導入装置を構成する電極本体の先端部を示した斜視図である。
【図１５Ｂ】第２実施形態に係る育毛剤導入装置を構成する電極本体の先端部を示した平面図である。
【符号の説明】
【００６２】
１        育毛剤導入装置
２        装置本体
２１      外装ケース
２２      操作部
２３      置き台
２６      電極用のジャック
３        パルス印加部
３１      変圧部
３１１    トランス
３１１ａ  第１の一次巻線
３１１ｂ  第２の一次巻線
３１１ｃ  二次巻線
３１３ａ  第１トランジスタ
３１３ｂ  第２トランジスタ
３１４    抵抗
３１５    コンデンサ
３１６    ダイオード
３２      電源
３３      増幅部
３３１    オペアンプ
３４      波形形成部
３４１    抵抗
３４２    コンデンサ
３５      制御部
４        電極本体
４０      電極本体の先端部
４１      電極
４１１    電極先端部
４１２    電極胴部
４２      電気モータ
４２１    回転軸
４２２    偏心素子
４３      接続コード
４３１    電極プラグ
４４      電極本体の胴部
４５      クッション部
４６      櫛歯部
４６１    台座
４６２    絶縁部
６        頭皮
６１      透過経路
６２      真皮
６３      毛根
７        育毛剤
ＰＯＮ      加電部
ＰＯＦＦ      休止部
ＰＵ      立ち上がり部
ＰＳ      安定部
ＰＤ      立ち下がり部
【図１】
0005397975.tif 000002
【図２】
0005397975.tif 000003
【図３】
0005397975.tif 000004
【図４Ａ】
0005397975.tif 000005
【図４Ｂ】
0005397975.tif 000006
【図５】
0005397975.tif 000007
【図６】
0005397975.tif 000008
【図７】
0005397975.tif 000009
【図８】
0005397975.tif 000010
【図９】
0005397975.tif 000011
【図１０】
0005397975.tif 000012
【図１１】
0005397975.tif 000013
【図１２】
0005397975.tif 000014
【図１３】
0005397975.tif 000015
【図１４】
0005397975.tif 000016
【図１５Ａ】
0005397975.tif 000017
【図１５Ｂ】
0005397975.tif 000018